(57)【要約】      （修正有）【課題】電気機器の電源回路より出力される動作電圧を制御用マイコンにより検出するとともに、過電圧及び減電圧に対して保護するための電源検出回路をコンパクトにする。【解決手段】電源検出回路２０を、第一の回路１１と第二の回路１２と第三の回路１３を備える構成とする。電圧出力端子１６より適正な電圧が出力されると、第三の回路１３が導通することにより第一のスイッチング素子１がオンされ、適正な電圧信号が制御用コンピュータ１５のパワーフェイル端子１５ａに入力される。一方、端子１６より過電圧が出力されると、第二の回路１２が導通することによりパワーフェイル端子１５ａは接地電位とされ、制御用マイコン１５が保護される。また、端子１６より減電圧が出力されると、第一の回路１１乃至第三の回路１３のいずれも導通しない。これにより、制御用マイコン１５は、減電圧が出力されたことを検出する。【選択図】  図１
2004254388.tif 000002
【特許請求の範囲】
【請求項１】
電源回路と前記電源回路より入力された動作電圧を出力する動作電圧出力端子と制御用マイコンとを内部に備える電気機器に設けられる電源検出回路であって、
前記動作電圧出力端子と前記制御用マイコンの前記動作電圧をモニターするためのパワーフェイル端子との間に設けられ、
一方の端部が前記動作電圧出力端子に接続され、他方の端部が前記制御用マイコンのパワーフェイル端子に接続されており、オン、オフ制御される第一のスイッチング素子が前記一方の端部と他方の端部間に接続される第一の回路と、
前記動作電圧出力端子より出力される電圧が入力され該入力された電圧が過電圧か否か検出する第一の電圧検出素子と、前記パワーフェイル端子と接地との間に接続される第二のスイッチング素子とを備え、前記第二のスイッチング素子が前記第一の電圧検出素子の過電圧の検出及び前記第一のスイチッング素子のオン、オフに応じてオン、オフ制御されるように接続されている第二の回路と、
前記動作電圧出力端子より出力される電圧が入力され該入力された電圧が適正電圧であるか過電圧であるか減電圧であるか検出する第二の電圧検出素子と、前記第二の電圧検出素子の電圧の検出に応じてオン、オフ制御され前記第一のスイッチング素子のオン、オフを制御する第三のスイッチング素子とが接続される第三の回路とを備え、
前記動作電圧出力端子より適正な動作電圧が出力されると、前記第二の電圧検出素子が前記第三のスイッチング素子をオンすることによって第一のスイッチング素子がオンされるとともに、前記第一の電圧検出素子が前記第二のスイッチング素子をオフすることによって、前記適正な動作電圧に基づく電圧信号が前記第一のスイッチング素子より制御用マイコンのパワーフェイル端子に入力され、
前記動作電圧出力端子より過電圧が出力されると、前記第二の電圧検出素子が前記第三のスイッチング素子をオンすることによって前記第一のスイッチング素子がオンされるとともに、前記第一の電圧検出素子が過電圧を検出することによって前記第二のスイッチング素子がオンされることにより、前記制御用マイコンのパワーフェイル端子が接地電位とされ、
前記動作電圧出力端子より減電圧が出力されると、前記第二の電圧検出素子が前記第三のスイッチング素子をオンせず、前記第一のスイッチング素子がオンされないことにより、前記減電圧が前記パワーフェイル端子に入力されないように構成された電源検出回路。
【請求項２】
前記第一のスイッチング素子がＰＮＰ型トランジスタにより構成される第一のトランジスタであり、前記第二のスイッチング素子がＮＰＮ型トランジスタにより構成される第二のトランジスタであり、前記第三のスイッチング素子がＮＰＮ型トランジスタにより構成される第三のトランジスタであり、
前記第一の電圧検出素子が逆方向の耐圧Ｖ１が前記適正な動作電圧Ｖ０より若干大きい電圧値である第一のツエナーダイオードであり、前記第二の電圧検出素子が逆方向の耐圧Ｖ２が前記適正な動作電圧Ｖ０より若干小さい電圧値である第二のツエナーダイオードであり、
前記第一のトランジスタは、エミッタ端子が第一の回路の一方の端部側となり、コレクタ端子が第一の回路の他方の端部側となるように接続されており、
前記第一のツエナーダイオードはカソード側が前記動作電圧出力端子側に接続されており、第二のトランジスタのコレクタ端子が前記パワーフェイル端子に接続されており、第二のトランジスタのエミッタ端子が接地に接続されており、第二のトランジスタのベース端子は第一のツエナーダイオードのアノード側に接続されており、
前記第二のツエナーダイオードはカソード側が前記動作電圧出力端子側に接続されており、第三のトランジスタのベース端子が第二のツエナーダイオードのアノード側に接続されており、第三のトランジスタのコレクタ端子が第一のトランジスタのベース端子に接続されており、第三のトランジスタのエミッタ端子が接地に接続されている請求項１に記載の電源検出回路。
【請求項３】
前記パワーフェイル端子に接続される第一の回路の他方の端部に、パワーフェイル端子に入力される電圧を一定電圧以下とする定電圧維持回路が設けられることを特徴とする請求項１又は２に記載の電源検出回路。
【請求項４】
前記定電圧維持回路には、逆方向の耐圧Ｖ３が前記適正な動作電圧Ｖ０に対応する電圧より若干大きい電圧値であり、カソード側が第一の回路の他方の端部に接続され、アノード側が接地に接続される第三のツエナーダイオードが設けられており、
前記第三のツエナーダイオードと前記第一の回路に直列に接続される抵抗と前記第三のツエナーダイオードに並列に接続される抵抗とによって、前記第三のツエナーダイオードに逆方向に前記電圧Ｖ３を越える電圧が印加された場合に、前記第一の回路の他方の端部を前記電圧Ｖ３に維持するようにされた請求項３に記載の電源検出回路。
【発明の詳細な説明】
【０００１】
【発明の属する技術分野】
本発明は、電気機器に備わる電源回路より出力された電圧を検出するための電源検出回路に関する。
【０００２】
【従来の技術】
電気機器には一般に電源回路が設けられており、電源回路により電気機器を動作させるための所要の電圧を形成するようにされている。そして、電気機器には、動作を制御するための制御用マイコンが設けられるものもある。
【０００３】
そして、制御用マイコンが設けられる電気機器では、制御用マイコンが電源回路より出力される電圧を検出し、電源回路の出力が適正でない場合には電源回路を停止するように制御するものもある。
【０００４】
図２は、電源回路より出力された電圧を制御用マイコンに入力するための電源検出回路の一例の回路図である。図２において、動作電圧出力端子５８は、電気機器を動作させるための所定の電圧を出力する。
【０００５】
この動作電圧出力端子５８には、図示しない電源回路より動作電圧が入力される。即ち、電源回路では電気機器に備わる各ユニットを動作させるための所要の動作電圧が形成され、この動作電圧が電源回路より動作電圧出力端子５８に出力される。
【０００６】
そして、動作電圧出力端子５８より出力された電圧を制御用マイコン５６に入力するための図２に示される回路が設けられている。この図２に示される回路によると、動作電圧出力端子５８より出力された直流電圧はトランス６０より出力された後に整流回路５１、５２によって整流される。そして、抵抗５４及び５７により電圧が調整されて制御用マイコン５６のパワーフェイル端子５６ａに入力される。
【０００７】
また、図２の回路において、一定電圧以上の電圧がパワーフェイル端子５６ａに入力されないように、ツエナーダイオード５３と抵抗５４と５７とによって調整されるようにされている。
【０００８】
この制御用マイコン５６のパワーフェイル端子５６ａは、動作電圧出力端子５８より出力された電圧に基づいて電源回路の動作を検出するために設けられている。そして、制御用マイコン５６は、パワーフェイル端子５６ａに入力された電圧に基づき電源回路の動作の状況を検出する。
【０００９】
【発明が解決しようとする課題】
ここで、従来の電源検出回路には、過電圧及び減電圧に対してマイコン５６やトランス６０を保護するための図２に図示されない保護回路がトランス６０の一次側に設けられており、上記制御用マイコン５６のパワーフェイル端子５６ａに入力するための回路とは別の系統として設けられている。
【００１０】
このように、従来の電源検出回路にあっては、過電圧及び減電圧に対する保護回路は、電源回路より出力された動作電圧を制御用マイコンにより検出するための回路の系統とは別の系統として設けられていた。
【００１１】
従って、従来の電源検出回路にあっては、回路全体が大きくなり、また部品コストも増大していた。そこで、本発明は、回路の構成をよりコンパクトにすることができ、コストを抑制することもできる電源検出回路を提供することを目的とする。
【００１２】
【課題を解決するための手段】
上記課題を解決するため、本発明は、電源回路と前記電源回路より入力された動作電圧を出力する動作電圧出力端子と制御用マイコンとを内部に備える電気機器に設けられる電源検出回路であって、
前記動作電圧出力端子と前記制御用マイコンの前記動作電圧をモニターするためのパワーフェイル端子との間に設けられ、
一方の端部が前記動作電圧出力端子に接続され、他方の端部が前記制御用マイコンのパワーフェイル端子に接続されており、オン、オフ制御される第一のスイッチング素子が前記一方の端部と他方の端部間に接続される第一の回路と、
前記動作電圧出力端子より出力される電圧が入力され該入力された電圧が過電圧か否か検出する第一の電圧検出素子と、前記パワーフェイル端子と接地との間に接続される第二のスイッチング素子とを備え、前記第二のスイッチング素子が前記第一の電圧検出素子の過電圧の検出及び前記第一のスイチッング素子のオン、オフに応じてオン、オフ制御されるように接続されている第二の回路と、
前記動作電圧出力端子より出力される電圧が入力され該入力された電圧が適正電圧であるか過電圧であるか減電圧であるか検出する第二の電圧検出素子と、前記第二の電圧検出素子の電圧の検出に応じてオン、オフ制御され前記第一のスイッチング素子のオン、オフを制御する第三のスイッチング素子とが接続される第三の回路とを備え、
前記動作電圧出力端子より適正な動作電圧が出力されると、前記第二の電圧検出素子が前記第三のスイッチング素子をオンすることによって第一のスイッチング素子がオンされるとともに、前記第一の電圧検出素子が前記第二のスイッチング素子をオフすることによって、前記適正な動作電圧に基づく電圧信号が前記第一のスイッチング素子より制御用マイコンのパワーフェイル端子に入力され、
前記動作電圧出力端子より過電圧が出力されると、前記第二の電圧検出素子が前記第三のスイッチング素子をオンすることによって前記第一のスイッチング素子がオンされるとともに、前記第一の電圧検出素子が過電圧を検出することによって前記第二のスイッチング素子がオンされることにより、前記制御用マイコンのパワーフェイル端子が接地電位とされ、
前記動作電圧出力端子より減電圧が出力されると、前記第二の電圧検出素子が前記第三のスイッチング素子をオンせず、前記第一のスイッチング素子がオンされないことにより、前記減電圧が前記パワーフェイル端子に入力されないように構成された電源検出回路である（請求項１）。
【００１３】
本発明の電源検出回路によると、電源回路より出力された動作電圧が適正な電圧であるか過電圧であるか減電圧であるかを、制御用マイコンが検出することができる。そして、検出した電源回路の動作状況に応じて、制御用マイコンは電気機器を制御することができる。
【００１４】
そして、本発明によると、かかる電源検出回路を、トランス等の比較的に大きな回路構成部材を用いることなく構成することができる。これにより、電源検出回路をよりコンパクトに構成することができ、その製造コストを抑制することもできる。
【００１５】
また、本発明の電源検出回路において、前記第一のスイッチング素子をＰＮＰ型トランジスタにより構成される第一のトランジスタとし、前記第二のスイッチング素子をＮＰＮ型トランジスタにより構成される第二のトランジスタとし、前記第三のスイッチング素子をＮＰＮ型トランジスタにより構成される第三のトランジスタとし、
前記第一の電圧検出素子を逆方向の耐圧Ｖ１が前記適正な動作電圧Ｖ０より若干大きい電圧値である第一のツエナーダイオードとし、前記第二の電圧検出素子を逆方向の耐圧Ｖ２が前記適正な動作電圧Ｖ０より若干小さい電圧値である第二のツエナーダイオードとし、
前記第一のトランジスタを、エミッタ端子が第一の回路の一方の端部側となり、コレクタ端子が第一の回路の他方の端部側となるように接続し、
前記第一のツエナーダイオードをカソード側を前記動作電圧出力端子側に接続し、第二のトランジスタのコレクタ端子を前記パワーフェイル端子に接続し、第二のトランジスタのエミッタ端子を接地に接続し、第二のトランジスタのベース端子を第一のツエナーダイオードのアノード側に接続し、
前記第二のツエナーダイオードをカソード側を前記動作電圧出力端子側に接続し、第三のトランジスタのベース端子を第二のツエナーダイオードのアノード側に接続し、第三のトランジスタのコレクタ端子を第一のトランジスタのベース端子に接続し、第三のトランジスタのエミッタ端子を接地に接続することができる（請求項２）。
【００１６】
これにより、前記スイッチング素子をトランジスタによって構成し、電圧検出素子をツエナーダイオードによって構成することができる。これにより、回路素子として普及しているトランジスタ及びツエナーダイオードを用いて回路を構成するので、電源検出回路をよりコンパクトに構成することができ、製造コストをより抑制することもできる、より好ましい。
【００１７】
また、以上の電源検出回路において（請求項１、２）、前記パワーフェイル端子に接続される第一の回路の他方の端部に、パワーフェイル端子に入力される電圧を一定電圧以下とする定電圧維持回路を設けることができる（請求項３）。これにより、第一の回路の他方の端部に伝達される電圧が前記一定電圧を越えることがなく、制御用マイコンのパワーフェイル端子を過大な電圧の入力から保護することができる。
【００１８】
そして、前記定電圧維持回路に、逆方向の耐圧Ｖ３が前記適正な動作電圧Ｖ０に対応する電圧より若干大きい電圧値であり、カソード側が第一の回路の他方の端部に接続され、アノード側が接地に接続される第三のツエナーダイオードを設け、
前記第三のツエナーダイオードと前記第一の回路に直列に接続される抵抗と前記第三のツエナーダイオードに並列に接続される抵抗とによって、前記第三のツエナーダイオードに逆方向に前記電圧Ｖ３を越える電圧が印加された場合に、前記第一の回路の他方の端部を前記電圧Ｖ３に維持するようにすることができる（請求項４）。
【００１９】
これにより、定電圧維持回路を前記第三のツエナーダイオードの電圧−電流特性を利用して構成することができる。これにより、定電圧維持回路をよりコンパクトにでき、コストを抑制することもできるので好ましい。
【００２０】
【発明の実施の形態】
本発明の実施の形態について、図１に基づいて説明する。図１は、本発明の一実施形態である電源検出回路２０の回路図である。図１に示される電源検出回路２０は、制御用マイクロコンピュータ（以下、「制御用マイコン」と略す。）によって制御される電気機器に組み込んで用いられる。そして、この電気機器を動作させる動作電圧を形成する電源回路の出力を検出するために設けられる。
【００２１】
電源検出回路２０は、一方の端部が動作電圧出力端子１６に接続され、他方の端部が制御用マイコン１５のパワーフェイル端子１５ａに接続される。動作電圧出力端子１６は、電気機器内部に複数設けられる動作電圧出力端子のうちの特定の動作電圧出力端子である。
【００２２】
動作電圧出力端子は、電気機器内部の電源回路によって調整された所定の動作電圧が入力される端子である。この電源回路によって調整された動作電圧を電気機器に備わる各ユニットに供給することにより、各ユニットが動作する。そして、動作電圧出力端子１６には、図示されない前記電源回路により形成された直流の正電位をとる動作電圧が供給される。
【００２３】
制御用マイコン１５は、電気機器内部に設けられており、電気機器の動作を制御する。制御用マイコン１５のパワーフェイル端子１５ａは、電源回路の出力をモニターして停電検出を行うための入力端子である。パワーフェイル端子１５ａには、動作電圧出力端子１６の出力に基づく電圧信号が電源検出回路２０によって伝達される。
【００２４】
電源検出回路２０は、図１に示されるように、第一の回路１１と第二の回路１２と第三の回路１３を備えている。第一の回路１１は、一方の端部が動作電圧出力端子１６に接続されており、他方の端部はパワーフェイル端子１５ａに接続されている。
【００２５】
第一の回路１１には、第一のトランジスタ１が設けられている。第一のトランジスタ１は第一のスイッチング素子にあたる。図１に示される例では、第一のトランジスタ１は、ＰＮＰトランジスタによって構成されている。第一のトランジスタ１は、そのエミッタ端子がダイオード５を介して動作電圧出力端子１６に接続されている。
【００２６】
また、第一のトランジスタ１のコレクタ端子は、抵抗１７を介してパワーフェイル端子１５ａに接続されている。また、第一のトランジスタ１のベース端子は、後に説明する第三のトランジスタ３に接続されている。
【００２７】
ダイオード５は、アノード側が動作電圧出力端子１６に接続されており、カソード側が第一のトランジスタ１のエミッタ端子に接続されている。ダイオード５により、動作電圧出力端子１６に負の電圧が出力された場合に、この負の電圧が第一の回路１１を伝達することを防ぐことができる。
【００２８】
また、第一の回路１１には、抵抗１７及び抵抗１８が接続されている。抵抗１７は、一方の端子が第一のトランジスタ１のコレクタ端子に接続されており、他方の端子がパワーフェイル端子１５ａに接続される第一の回路１１の他方の端子に接続されている。
【００２９】
抵抗１８は、一方の端子が第一の回路１１における抵抗１７の他方の端子側に接続され第一の回路１１の他方の端部に接続されており、他方の端子が接地に接続されている。
【００３０】
抵抗１７及び１８により、動作電圧出力端子１６より出力される電圧に対してトランジスタ１よりパワーフェイル端子１５ａに伝達する電圧信号の大きさを調整することができる。
【００３１】
また、第一の回路１１の他方の端部と接地との間には第三のツエナーダイオード１４が設けられている。第三のツエナーダイオード１４は、アノード側が接地に接続されている。また、第三のツエナーダイオード１４はカソード側が第一の回路の他方の端部に接続されており、カソード側はパワーフェイル端子１５ａ及び第二のトランジスタ２のコレクタ端子に接続されている。
【００３２】
第三のツエナーダイオード１４は、カソード側からアノード側に印加される逆方向の耐圧が、動作電圧出力端子１６より出力される適正な電圧Ｖ０に対応する電圧より若干大きい電圧であり、パワーフェイル端子１５ａに過大とならない範囲の電圧Ｖ３をとるものが用いられる。
【００３３】
この第三のツエナーダイオード１４は、一定の動作条件の下で、逆方向の耐圧Ｖ３を越える電圧が印加された場合に、前記電圧Ｖ３を越える部分の通過を防ぎ、前記電圧Ｖ３を上限とする一定電圧以下に維持する定電圧維持素子として機能する。
【００３４】
そして、第三のツエナーダイオード１４と抵抗１７及び１８とによって、定電圧維持回路を構成している。この定電圧維持回路は、以下のように機能する。第一の回路１１に導通する電流が抵抗１７及び１８により一定値以下となるように制限されると、第三のツエナーダイオード１４によって逆方向の耐圧Ｖ１を越える電圧はパワーフェイル端子１５ａ側に通過しない。
【００３５】
これにより、動作電圧出力端子１６より出力される電圧が適正な電圧Ｖ０を越える過電圧となる場合であっても、パワーフェイル端子１５ａには前記ダイオード１４の耐圧Ｖ３を上限とする一定電圧が入力される。
【００３６】
このように、定電圧維持回路によると、過電圧に対してパワーフェイル端子１５ａに入力される電圧を一定電圧とすることができ、パワーフェイル端子１５ａを過電圧に対して保護することができる。
【００３７】
また、電源検出回路２０には、パワーフェイル端子１５ａの手前にあたる位置にコンデンサ１９が設けられている。コンデンサ１９は、一方の端子がパワーフェイル端子１５ａ及び第一の回路１１の他方の端部に接続され、他方の端子が接地に接続される。コンデンサ１９により、第一の回路１１を伝達された電圧信号をパワーフェイル端子１５ａに入力するにあたり、安定した電圧信号にすることができる。
【００３８】
第二の回路１２は、一方の端部が動作電圧出力端子１６に接続されており、他方の端部は制御用マイコン１５のパワーフェイル端子１５ａに接続されている。また、第二の回路１２の他方の端部は、第一の回路１１の他方の端部にも接続されている。
【００３９】
第二の回路１２には第一のツエナーダイオード４と第二のトランジスタ２が設けられている。第一のツエナーダイオード４は、カソード側が動作電圧出力端子１６に接続されており、アノード側が第二のトランジスタ２に接続されている。第二のトランジスタ２は、ベース端子が第一のツエナーダイオード４のアノードに接続されている。
【００４０】
また、第二のトランジスタ２のコレクタ端子は、パワーフェイル端子１５ａに接続されている。また、第二のトランジスタ２のエミッタ端子は接地に接続されている。
【００４１】
また、第二のトランジスタ２のベース端子と接地との間にはコンデンサ１０が接続されている。コンデンサ１０は、第二のトランジスタ２のベース電位を安定させるために設けられている。
【００４２】
この第二の回路１２において、第一のツエナーダイオード１４は以下のように選定される。第一のツエナーダイオード４は、カソード側からアノード側に印加される逆方向の耐圧が、動作電圧出力端子１６より出力される適正な電圧Ｖ０より若干大きい電圧Ｖ１をとるものが用いられる。
【００４３】
これにより、動作電圧出力端子１６よりＶ１を越える過電圧が出力されると、第一のツエナーダイオード４のカソードからアノードへ導通を生ずることにより、過電圧が検出される。
【００４４】
以上の第一のツエナーダイオード４は、第一の電圧検出素子にあたる。また、第二のトランジスタ２は第二のスイッチング素子にあたる。
【００４５】
第三の回路１３には、第二のツエナーダイオード６と第三のトランジスタ３が設けられている。第二のツエナーダイオード６は、カソード側が抵抗９を介してダイオード５のカソードに接続されている。これにより、動作電圧出力端子１６より出力され、ダイオード５を通過した電圧はツエナーダイオード６に印加される。
【００４６】
また、第二のツエナーダイオード６のカソード側は、抵抗９を介して第一のトランジスタ１のエミッタ端子に接続されている。そして、第二のツエナーダイオード６のアノード側は第三のトランジスタ３に接続されている。
【００４７】
第三のトランジスタ３は、コレクタ端子が第一のトランジスタ１のベース端子に接続されており、エミッタ端子が接地に接続されている。また、第三のトランジスタ３のベース端子は第二のツエナーダイオードのアノード側に接続されている。
【００４８】
また、第三のトランジスタ３のベース端子と接地との間には抵抗７が接続されている。この抵抗７により、第三のトランジスタ３のベースに入力されるベース電位を安定させることができる。
【００４９】
この第三の回路１３において、第二のツエナーダイオード６は、以下のように選定される。第二のツエナーダイオード６は、カソード側からアノード側に印加される逆方向の耐圧が、動作電圧出力端子１６より出力される適正な電圧Ｖ０より若干小さい電圧Ｖ２をとるものが用いられる。
【００５０】
これにより、動作電圧出力端子１６よりＶ２を越える適正な電圧が出力された場合及び過電圧が出力された場合に、第二のツエナーダイオード６のカソードからアノードへ導通を生ずる。一方、動作電圧出力端子１６よりＶ２未満となる減電圧が出力された場合には、第二のツエナーダイオード６のカソードからアノードへの導通は生じない。
【００５１】
これにより、動作電圧出力端子１６より適正な電圧及び過電圧が出力された場合と、動作電圧出力端子１６より減電圧が出力された場合とが検出される。
【００５２】
以上の第二のツエナーダイオード６は第二の電圧検出素子にあたる。また、第三のトランジスタ３は第三のスイッチング素子にあたる。
【００５３】
次に、以上に説明した電源検出回路２０が設けられる電気機器の動作の例について説明する。まず、動作電圧出力端子１６より適正な電圧Ｖ０が出力された場合について説明する。
【００５４】
動作電圧出力端子１６より適正な電圧Ｖ０が出力されると、この電圧Ｖ０は第一の回路１１の第一のトランジスタ１及び第三の回路１３の第二のツエナーダイオード６に印加される。
【００５５】
そして、第二のツエナーダイオード６が逆方向に導通し、第二のツエナーダイオード６より第三のトランジスタ３のベース端子への電圧の入力によって、第三のトランジスタ３がオンされる。これにより、第一のトランジスタ１もオンされる。
【００５６】
そして、第一のトランジスタ１がオンされることにより、動作電圧出力端子１６の電圧に基づく電圧信号は、第一の回路１１よりパワーフェイル端子１５ａに入力される。
【００５７】
そして、制御用マイコン１５は、適正な範囲の動作電圧を示す電圧信号がパワーフェイル端子１５ａに入力されると、電源回路が適正に動作していると判断する。
【００５８】
次に、動作電圧出力端子１６より過電圧が出力された場合について説明する。動作電圧出力端子１６より過電圧が出力されると、該過電圧は第一の回路１１のトランジスタ１、第二の回路１２の第一のツエナーダイオード４及び第三の回路１３の第二のツエナーダイオード６に印加される。
【００５９】
これにより、第一のツエナーダイオード４が逆方向に導通し、第一のツエナーダイオード４より第二のトランジスタ２のベース端子にツエナーダイオード４を導通した電圧が印加される。また、第二のツエナーダイオード６が逆方向に導通し、ツエナーダイオード６を導通した電圧が第三のトランジスタ３のベース端子に印加される。
【００６０】
これにより、第一のトランジスタ１及び第三のトランジスタ３がオンされ、さらに第二のトランジスタがオンされる。
【００６１】
そして、第二のトランジスタ２がオンされることにより、制御用マイコン１５のパワーフェイル端子１５ａは第二のトランジスタ２によって接地電位とされる。そして、制御用マイコン１５は、接地電位が入力されたことにより、電源回路に異常が生じたと判断する。そして、制御用マイコン１５は、電源回路を停止させるように制御する。
【００６２】
この動作電圧出力端子１６より過電圧が出力された場合、トランジスタ２がオンされる前に過渡的に過電圧が第一の回路１１を伝わるおそれがある。この過渡的な過電圧が伝わるおそれがある場合に、第三のツエナーダイオード１４によりその逆耐圧Ｖ３を越える電圧は通過することができず、パワーフェイル端子１５ａに入力される電圧はＶ３以下に維持される。
【００６３】
これにより、パワーフェイル端子１５ａに過電圧が入力されることをより確実に防ぐことができ、制御用マイコン１５をより確実に過電圧から保護することができるので、より好ましい。
【００６４】
次に、動作電圧出力端子１６より減電圧が出力された場合について説明する。減電圧が出力された場合には、第一のツエナーダイオード４及び第二のツエナーダイオード６ともに導通を生じない。これにより、第一のトランジスタ１、第二のトランジスタ２及び第三のトランジスタ３の全てがオンされない。
【００６５】
これにより、第一の回路１１よりパワーフェイル端子１５ａへの入力は存在しない。これにより、制御用マイコン１５は、電源回路が正常に動作していないことを検出し、電源回路を停止させるように制御する。
【００６６】
以上に説明した電源検出回路２０によると、電気機器に設けられる電源回路より過電圧が出力された場合に、該過電圧を接地に導くことによって制御用マイコン１５を保護することができる。
【００６７】
また、電源検出回路２０によると、前記電源回路より過電圧が出力された場合、及び減電圧が出力された場合について、制御用マイコン１５は電源回路が正常に動作していないことを検出して電源回路を停止させるように制御する。
【００６８】
そして、電源検出回路２０によると、電源回路の出力を制御用マイコン１５により検出するための停電検出回路と、過電圧及び減電圧に対して保護するための保護回路とが一体に構成されており、前記停電検出回路及び保護回路をコンパクトに構成することができる。そして、電源検出回路２０を、製造コストを抑制することもできる。
【００６９】
また、以上の電源検出回路２０が設けられる電気機器が電源回路より直流の動作電圧を出力する機器である場合、電源検出回路２０をトランスを設けることなく構成することができる。これにより、電源検出回路２０をコンパクトにすることができる。
【００７０】
なお、以上の説明では、電圧検出素子をツエナーダイオード４、６により構成する例を挙げたが、電圧検出素子としてツエナーダイオード以外の回路素子を用いることもできる。
【００７１】
即ち、電圧検出素子は、動作電圧出力端子より出力される電圧が適正な動作電圧であるか過電圧であるか減電圧であるかを検出し、この電圧の検出に応じて、第二のスイッチング素子２及び第三のスイッチング素子３のオン、オフを制御するための信号を出力するものであればよい。
【００７２】
また、以上の説明では、スイッチング素子をトランジスタ１、２、３により構成する例を挙げたが、スイッチング素子はトランジスタに限られず、他の半導体スイッチング素子を用いることもできる。
【００７３】
即ち、スイッチング素子は、導通状態を制御するための信号が入力されることにより、オン、オフが制御される半導体スイッチング素子により構成することができる。
【００７４】
【発明の効果】
以上に説明したように、本発明によると、電気機器の電源回路より出力される動作電圧を制御用マイコンにより検出するための回路と過電圧及び減電圧に対して保護するための回路とを一体としてコンパクトにできるという効果を奏する。また、その製造コストを抑制することができるという効果も奏する。
【図面の簡単な説明】
【図１】本発明の一実施形態である電源検出回路の回路図である。
【図２】従来の電源検出回路の回路図である。
【符号の説明】
１    第一のトランジスタ
２    第二のトランジスタ
３    第三のトランジスタ
４    第一のツエナーダイオード
５    ダイオード
６    第二のツエナーダイオード
７    抵抗
９    抵抗
１０    コンデンサ
１１    第一の回路
１２    第二の回路
１３    第三の回路
１４    第三のツエナーダイオード
１５    制御用マイコン
１５ａ  パワーフェイル端子
１６    動作電圧出力端子
２０    電源検出回路
５１    ダイオード
５２    電解コンデンサ
５３    ツエナーダイオード
５４    抵抗
５５    コンデンサ
５６    制御用マイコン
５６ａ  パワーフェイル端子
５８    動作電圧出力端子
６０    トランス
【図１】
2004254388.tif 000003
【図２】
2004254388.tif 000004